(57)【要約】      （修正有）【課題】手帳の携帯時に二つ折りのメモ用欄の頁が手帳の規格頁枠からほどけてはみ出し状態とならず、しかも、メモ用欄を必ずしも必要としない予定表欄の場合、メモ用欄の折りが煩雑とならない手帳を提供する。【解決手段】二つ折りにした袋とじ頁１１を所定頁重合すると共に各二つ折り頁の端縁部を編綴して各二つ折り頁を袋綴じ状に形成し、必要によって編綴基部を切離可能とした手帳１０ａであって、切離した状態では各袋とじ頁の二つ折りの両内側面をメモ用欄１５とすると共に、袋とじ頁の両外側面のうち一外側面を予定表欄１３に、他外側面をメモ用欄に形成した。【選択図】図４
0003193584.tif 000002
【実用新案登録請求の範囲】
【請求項１】
二つ折りにした袋とじ頁を所定頁重合すると共に各二つ折り頁の端縁部を編綴して各二つ折り頁を袋綴じ状に形成し、必要によって編綴基部を切離可能とした手帳であって、
切離した状態では各袋とじ頁の二つ折りの両内側面をメモ用欄とすると共に、
袋とじ頁の両外側面のうち
一外側面を予定表欄に、
他外側面をメモ用欄に
形成したことを特徴とする手帳。
【請求項２】
二つ折りにした袋とじ頁を所定頁重合して各二つ折り頁の開口端縁部を重合した状態で編綴して各二つ折り頁が袋綴じ状に形成された手帳であって、
各二つ折り頁の見開き状態で左側方の頁に週間或いは月間の予定表欄を形成し、右側方の頁にメモ用欄を形成し、しかも、右側方の頁の編綴基部には切離線を形成し、必要に応じて切離線より切離して二つ折り頁の右側方の頁を展開自在とし、右側方の頁の展開による見開き左右側頁を付加メモ用欄に構成したことを特徴とする手帳。
【請求項３】
二つ折りにした二つ折り頁と、一枚の用紙単体とを交互に所定数だけ重合した状態で基端縁を編綴して交互に袋綴じとした手帳であって、
二つ折り頁と用紙単体との見開き状態で用紙単体を左側方の頁として週間或いは月間の予定表欄を形成し、二つ折りの表外側面を右側方の頁として週間或いは月間の予定表欄を形成し、しかも、二つ折りの二つ折り頁の編綴基部に切離線を形成し、切離線より切離して二つ折りの二つ折り頁を展開自在とし、二つ折りを展開した状態の両内側面を付加メモ用欄とすると共に、二つ折り頁の二つ折りの裏外側面と次の一枚の用紙単体との見開き状態における左右頁をメモ用欄としたことを特徴とする手帳。
【考案の詳細な説明】
【技術分野】
【０００１】
本考案は、手帳頁のうちの一部を二つ折りの袋とじ頁として編綴してなる手帳に関するものであり、より具体的には、必要に応じて二つ折りの編綴部分より切離して袋とじ頁の二つ折り部分を展開することにより、メモ用紙を拡大することのできる手帳に関する。
【背景技術】
【０００２】
従来、手帳は、予定表欄の頁と共にメモ用欄の頁を編綴したものが一般的である。しかし、メモ用欄を予定表欄の後に編綴した場合は予定表欄とメモ用欄が対応せず使用しにくい欠点がある。そのため予定表欄の次の頁にメモ用欄を対応させて編綴し使い勝手を向上した手帳が考えられた。
【０００３】
これは、見開きの左側の予定表欄に対応して、見開きの右側がメモ用欄となり使い勝手の問題を解決している。
【０００４】
しかし、メモ用欄のスペースを可及的に大きく取りたいという要望に対しては、このタイプの手帳では不充分であった。
【０００５】
そこで、このタイプの手帳をさらに改良した手帳として、メモ用欄を一枚一頁分ではなく二つ折りや三つ折りに折畳んで構成し、必要に応じて折畳み頁を展開して大きくメモ用欄を使用できるようにした手帳が提案されている（例えば、特許文献１参照。）。
【先行技術文献】
【特許文献】
【０００６】
【特許文献１】実用新案登録第３１９０７９９号公報
【考案の概要】
【考案が解決しようとする課題】
【０００７】
ところが、上記特許文献１に示したような従来の二つ折りのメモ用欄は、手帳の予定表欄の間にメモ用欄が交互に編綴されることになるため、手帳の携帯時に二つ折りのメモ用欄の頁が手帳の規格頁枠からほどけてはみ出し状態となりがちで、取扱いに不便であると共に、メモ用欄を必ずしも必要としない予定表欄の場合、特に二つ折りのメモ用欄の折りを解除する必要のない場合でも二つ折りのメモ用欄の折りが解除して煩雑となり、やはり使用に不便を感じる欠点があった。
【課題を解決するための手段】
【０００８】
上記従来の課題を解決するために、本考案に係る手帳では、二つ折りにした袋とじ頁を所定頁重合すると共に各二つ折り頁の端縁部を編綴して各二つ折り頁を袋綴じ状に形成し、必要によって編綴基部を切離可能とした手帳であって、切離した状態では各袋とじ頁の二つ折りの両内側面をメモ用欄とすると共に、袋とじ頁の両外側面のうち一外側面を予定表欄に、他外側面をメモ用欄に形成することとした。
【０００９】
また本考案に係る手帳では、二つ折りにした袋とじ頁を所定頁重合して各二つ折り頁の開口端縁部を重合した状態で編綴して各二つ折り頁が袋綴じ状に形成された手帳であって、各二つ折り頁の見開き状態で左側方の頁に週間或いは月間の予定表欄を形成し、右側方の頁にメモ用欄を形成し、しかも、右側方の頁の編綴基部には切離線を形成し、必要に応じて切離線より切離して二つ折り頁の右側方の頁を展開自在とし、右側方の頁の展開による見開き左右側頁を付加メモ用欄に構成した。
【００１０】
また更に本考案に係る手帳では、二つ折りにした二つ折り頁と、一枚の用紙単体とを交互に所定数だけ重合した状態で基端縁を編綴して交互に袋綴じとした手帳であって、二つ折り頁と用紙単体との見開き状態で用紙単体を左側方の頁として週間或いは月間の予定表欄を形成し、二つ折りの表外側面を右側方の頁として週間或いは月間の予定表欄を形成し、しかも、二つ折りの二つ折り頁の編綴基部に切離線を形成し、切離線より切離して二つ折りの二つ折り頁を展開自在とし、二つ折りを展開した状態の両内側面を付加メモ用欄とすると共に、二つ折り頁の二つ折りの裏外側面と次の一枚の用紙単体との見開き状態における左右頁をメモ用欄とした。
【考案の効果】
【００１１】
この考案によれば、二つ折りにした袋とじ頁を所定頁重合して各二つ折り頁の開口端縁部を重合した状態で編綴して各二つ折り頁が袋綴じ状に形成された手帳であって、各袋とじ頁の二つ折りの両内側面をメモ用欄とすると共に、袋とじ頁の両外側面のうち一外側面を予定表欄に、他外側面をメモ用欄に形成したことを特徴とする手帳としたので、袋とじ頁を切離線から切離して袋とじの二つ折りを展開すると、その展開左右側面は、メモ用紙となり予定表欄に対応したメモ用紙を大きくとることができ、メモ量を増大することができる効果がある。しかも、このメモ用欄は通常は袋とじ状態であるため手帳全体では袋とじ部分が不用意に展開することなく、コンパクトに手帳頁を整順することができる効果があり、必要に応じてこの袋とじ頁の一側方の頁の編綴基部から切離することにより袋とじ頁が展開してその展開左右頁を広いメモ用紙として利用できる効果がある。
【００１２】
なお、予定表欄とメモ用欄の左右の配設位置を使用者の好みと手帳の用途に応じて変化させることができる。
【００１３】
すなわち、袋とじ頁を連続して編綴する全袋とじ頁よりなる形態や各袋とじ頁の間に一枚の用紙単体を編綴して袋とじ頁と用紙単体を交互に編綴する形態を選択することにより最適な手帳として使用することができる効果がある。
【図面の簡単な説明】
【００１４】
【図１】本考案に係る手帳の全体斜視図である。
【図２】本考案に係る手帳の第１実施例の見開き状態を示す平面説明図である。
【図３】本考案に係る手帳の切離線の構成を示した説明図である。
【図４】本考案に係る手帳の第１実施例の斜視説明図である。
【図５】本考案に係る手帳の第１実施例の切離展開状態を示す説明図である。
【図６】本考案に係る手帳の第２実施例の斜視図である。
【図７】本考案に係る手帳の第２実施例の見開き状態におけるメモ用欄を示す平面説明図である。
【図８】本考案に係る手帳の第２実施例の切離展開状態を示す説明図である。
【図９】本考案に係る手帳の第２実施例の切離展開状態を示す説明図である。
【図１０】本考案に係る手帳の第２実施例の見開き状態における予定表欄を示す説明図である。
【図１１】図１０における本考案に係る手帳の切離展開状態を示す説明図である。
【図１２】図１０における本考案に係る手帳の切離展開状態を示す説明図である。
【考案を実施するための形態】
【００１５】
本実施形態に係る手帳は、二つ折りにした袋とじ頁を所定頁重合すると共に各二つ折り頁の端縁部を編綴して各二つ折り頁を袋綴じ状に形成し、必要によって編綴基部を切離可能とした手帳であって、切離した状態では各袋とじ頁の二つ折りの両内側面をメモ用欄とすると共に、袋とじ頁の両外側面のうち一外側面を予定表欄に、他外側面をメモ用欄に形成したことを特徴とするものである。
【００１６】
また、本実施形態では、二つ折りにした袋とじ頁を所定頁重合して各二つ折り頁の開口端縁部を重合した状態で編綴して各二つ折り頁が袋綴じ状に形成された手帳であって、各二つ折り頁の見開き状態で左側方の頁に週間或いは月間の予定表欄を形成し、右側方の頁にメモ用欄を形成し、しかも、右側方の頁の編綴基部には切離線を形成し、必要に応じて切離線より切離して二つ折り頁の右側方の頁を展開自在とし、右側方の頁の展開による見開き左右側頁を付加メモ用欄に構成したことを特徴とする手帳についても提供する。
【００１７】
更に本実施形態では、二つ折りにした二つ折り頁と、一枚の用紙単体とを交互に所定数だけ重合した状態で基端縁を編綴して交互に袋綴じとした手帳であって、二つ折り頁と用紙単体との見開き状態で用紙単体を左側方の頁として週間或いは月間の予定表欄を形成し、二つ折りの表外側面を右側方の頁として週間或いは月間の予定表欄を形成し、しかも、二つ折りの二つ折り頁の編綴基部に切離線を形成し、切離線より切離して二つ折りの二つ折り頁を展開自在とし、二つ折りを展開した状態の両内側面を付加メモ用欄とすると共に、二つ折り頁の二つ折りの裏外側面と次の一枚の用紙単体との見開き状態における左右頁をメモ用欄としたことを特徴とする手帳についても提供する。
【００１８】
以下、この考案の実施例を図面に基づき詳説する。
【００１９】
図１は本実施形態に係る手帳の外観を示した説明図であり、図４、及び図６には、袋とじ頁１１の編綴形態を二つの形態に分けた第１実施例（手帳１０ａ）と第２実施例（手帳１０ｂ）とについて示している。
【００２０】
〔第１実施例〕
第１実施例は、図４に示すように袋とじ頁１１を連続して重ねて編綴した手帳１０ａであり、各袋とじ頁１１の見開き状態で左側方頁、すなわち、袋とじ頁１１の裏外側面１２に月間（或いは週間）の予定表欄１３を形成し、右側方頁、すなわち表外側面１４にメモ用欄１５を形成し、各袋とじ頁１１の右側方頁（袋とじ頁１１の表外側面１４）、すなわち、メモ用欄１５の編綴基部に切離線１６をミシン目状に形成している。
【００２１】
この切離線１６は、図３（ａ）に示すように、袋とじ頁１１の表外側面１４の基部上方に形成された上部ミシン目部１６ａと、基部下方に形成された下部ミシン目部１６ｂと、前記上部ミシン目部１６ａ及び前記下部ミシン目部１６ｂの間に形成された切離部１６ｃとで構成している。
【００２２】
上部ミシン目部１６ａ及び下部ミシン目部１６ｂは、手帳１０の使用者が必要に応じて切離する部位であり、同上部ミシン目部１６ａ及び下部ミシン目部１６ｂの長さは、基部の長さｄの３分の１以下の長さ（本実施形態に係る手帳１０ａでは、基部の長さｄの８分の１の長さ。）としている。
【００２３】
切離部１６ｃは、基部と袋とじ頁１１の表外側面１４とが予め切り離されている部位であり、同切離部１６ｃの長さは、基部の長さｄの３分の１以上の長さ（本実施形態に係る手帳１０ａでは、基部の長さｄの８分の６の長さ。）としている。
【００２４】
そして、メモ用欄１５を拡大したい時には、図５に示すように必要に応じて切離線１６よりメモ用欄１５である右側方頁（袋とじ頁１１の表外側面１４)を切離して、袋とじ頁１１の表外側面１４を展開すると袋とじ頁１１の二つ折り両内側面１７ａ，１７ｂが付加メモ用欄１５ａ，１５ｂとなる。
【００２５】
また、この表外側面１４の切離に際し、前述の通り切離線１６を上部ミシン目部１６ａと下部ミシン目部１６ｂと切離部１６ｃとで構成しているため、手帳１０の使用者は上部ミシン目部１６ａ及び下部ミシン目部１６ｂを切り離すだけで容易に袋とじ頁１１を展開させることができる。
【００２６】
また更に付言するならば、仮に手帳１０の基部に上部から下部に至るまで一様にミシン目を形成すると、同ミシン目の中央部近傍をきれいに切り離すのは困難であり、多くの場合切離後の表外側面１４には皺が寄ってしまうなどして筆記に悪影響を与えるおそれがある。
【００２７】
一方、本実施形態に係る手帳１０では、切離線１６を上述のような構成としているため、基部から表外側面１４を切離することによって表外側面１４に皺が寄ってしまうことを防止することができる。
【００２８】
更に、左側方頁に予定表欄１３を表した袋とじ頁１１の表外側面１４の基部を切離線１６より切離して二つ折り部分から展開すると、図５に示すように、袋とじ頁１１の裏外側面１２に記載した予定表欄１３の左側方に袋とじ頁１１の表外側面１４のメモ用欄１５が連なる。
【００２９】
従って、図５に示すように、手帳１０ａを開いて袋とじ頁１１を切離して展開すると、袋とじ頁１１の裏外側面１２の予定表欄１３が左側方頁に位置し、袋とじ頁１１の表外側面１４のメモ用欄１５が見開き状態で右側方頁に位置することになる。
【００３０】
また、見開きの左右側方頁を形成した左右の袋とじ頁１１，１１をそれぞれ切離線１６から切離して各袋とじ頁１１の二つ折り部分を展開すると、メモ用欄１５及び付加メモ用欄１５ａ,１５ｂが予定表欄１３の左右側方に伸延されて予定表欄に対応する。
【００３１】
第１実施例は、このように構成されており、通常の手帳の使用状態では図２に示すように、手帳１０ａを開くと袋とじ頁１１の裏外側面１２（左側方頁）が予定表欄１３となり表外側面１４(右側方面)がメモ用欄１５となっているため、予定表欄１３に対応して見開きの右側方頁をメモ用欄１５として使用することができる。
【００３２】
仮に、メモ用欄１５が不足する場合には、図５に示すように各袋とじ頁１１の表外側面１４の切離線１６から切離して袋とじの二つ折り部分を展開すると予定表欄１３の左右側方にメモ用欄１５及び付加メモ用欄１５ａ，１５ｂが形成され、この分だけメモ用欄が拡大することになる。使用時以外の通常状態では各メモ用欄１５を二つ折りにして各頁間に収納した状態としておく。
【００３３】
なお、本実施形態に係る手帳１０ａの切離線１６は、上下２つの上部ミシン目部１６ａ及び下部ミシン目部１６ｂと切離部１６ｃとで構成したが、図３（ｂ）に示すように切離部１６ｃの中途部に中途ミシン目部１６ｄを設けるようにしても良い。
【００３４】
〔第２実施例〕
第２実施例では、図６に示すように二つ折りにした袋とじ頁１１と、一枚の用紙単体２０とを交互に所定数だけ重合して基端縁を編綴し交互の袋とじ状態として手帳１０ｂを構成している。しかも、図７に示すように、袋とじ頁１１と用紙単体２０との見開き状態で、用紙単体２０の裏側面２５ｂを週間或いは月間の予定表欄２１を形成し、袋とじ頁１１の二つ折りの表外側面１４を同じく予定表欄２１に形成している（なお、この場合の予定表欄２１は週間又は月間の予定を半々にして用紙単体２０と袋とじ頁１１との各予定表欄２１ａ，２１ｂに記載する）。
【００３５】
更に、図８及び図９に示すように、第１実施例と同様に二つ折りの袋とじ頁１１の編綴基部に切離線１６を形成し、切離線１６より切離して二つ折り部分を展開自在とし二つ折りの両内側面２６ａ及び２６ｂをそれぞれ付加メモ用欄２２ａ,２２ｂとしている。なお、この手帳１０ｂにおける切離線１６は、前述の手帳１０ａと同様に図３（ａ）にて示した構造としているが、図３（ｂ）に示すような中途ミシン目部１６ｄを備える構造としても良いのは勿論である。
【００３６】
更には、図１０に示すように袋とじ頁１１の裏外側面１２を左側方頁とし、次の頁となる用紙単体２０の表側面２５ａを右側方頁として見開き状態にすると、見開きの両側面は付加メモ用欄２２ｃ,２２ｄとなる。この状態で袋とじ頁１１の表外側面１４(予定表欄２１ｂ)を切離展開すれば、図１１及び図１２に示すように袋とじ頁１１の表外側面１４が左側方に展開されて予定表欄２１ｂとなり、その右側方に２頁分の付加メモ用欄２２ｃ,２２ｄが設けられることになる。
【００３７】
第２実施例は、このように構成されており、通常の手帳の使用状態では各頁を開くと図７に示すように、袋とじ頁１１と用紙単体２０との見開き展開状態で左右両側面に予定表欄２１ａ,２１ｂが出る。
【００３８】
次に、袋とじ頁１１をめくって袋とじ頁１１の裏外側面１２と次頁の用紙単体２０の表側面２３とを見開き状態とすると、図１０に示すようにこの左右見開き両側面は、共にメモ用欄１５,１５（２２ｃ,２２ｄ）となっている。
【００３９】
次に、図１１に示すように、袋とじ頁１１の切離線１６より表外側面１４の基部を切離して展開すると、図１２に示すように、袋とじ頁１１の表外側面１４は予定表欄２１ｂとなり、その右側方に上記の付加メモ用欄２２ｃが更にその右側方に付加メモ用欄２２ｄが連続して展開する。
【符号の説明】
【００４０】
１１  袋とじ頁
１３  予定表欄
１５  メモ用欄
１６  切離線
１５ａ,１５ｂ  付加メモ用欄
２０  用紙単体
【図１】
0003193584.tif 000003
【図２】
0003193584.tif 000004
【図３】
0003193584.tif 000005
【図４】
0003193584.tif 000006
【図５】
0003193584.tif 000007
【図６】
0003193584.tif 000008
【図７】
0003193584.tif 000009
【図８】
0003193584.tif 000010
【図９】
0003193584.tif 000011
【図１０】
0003193584.tif 000012
【図１１】
0003193584.tif 000013
【図１２】
0003193584.tif 000014